(57)【要約】【課題】使用者の操作の手間を削減し、用紙属性設定と格納用紙の一致性を高めることができる画像形成装置を提供する。【解決手段】印刷ジョブを受信する受信手段と、印刷される用紙を収容する複数のトレイと、用紙に画像を記録する画像形成手段と、トレイに収容された用紙の用紙属性情報を管理する用紙属性管理手段と、用紙属性管理手段により管理される用紙属性情報に基づき、印刷ジョブの印刷に係るトレイとトレイの情報を検知する検知手段と、を備え、電源ＯＦＦもしくは非応答状態でトレイの開閉が行われた場合に、電源ＯＮまたは非応答状態からの復帰時に、用紙属性管理手段に対して、該当トレイの用紙属性情報の設定もしくは確認を促すための表示を行う。【選択図】図４
2014018974.tif 000002
【特許請求の範囲】
【請求項１】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態で前記トレイの開閉が行われた場合に、電源ＯＮまたは非応答状態からの復帰時に、前記用紙属性管理手段に対して、該当トレイの前記用紙属性情報の設定もしくは確認を促すための表示を行う、
ことを特徴とする画像形成装置。
【請求項２】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＮまたは非応答状態からの復帰時に、前記トレイの用紙積載板が下降していた場合、前記用紙属性管理手段に対して、該当トレイの前記用紙属性情報の設定もしくは確認を促すための表示を行う、
ことを特徴とする画像形成装置。
【請求項３】
前記トレイの用紙積載板が下降していたトレイの用紙無しが検知されなかった場合、前記用紙属性管理手段に対して、該当トレイの前記用紙属性情報の設定もしくは確認を促すための表示を行う、
ことを特徴とする請求項２に記載の画像形成装置。
【請求項４】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙残量を記録し、電源ＯＮまたは非応答状態からの復帰時に検知した前記トレイの用紙残量と比較し、当該トレイにおいて取得された前記トレイの用紙残量が、記録された用紙残量と異なる場合に、前記用紙属性管理手段に対して、該当トレイの前記用紙属性情報の設定もしくは確認を促すための表示を行う、
ことを特徴とする画像形成装置。
【請求項５】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙残量を記録し、電源ＯＮまたは非応答状態からの復帰時に、前記トレイの用紙積載板が下降していて、かつ用紙無しが検知されなかった場合に検知した前記トレイの用紙残量と比較し、当該トレイにおいて取得された前記トレイの用紙残量が、記録された前記用紙残量と異なる場合に、前記用紙属性管理手段に対して、該当トレイの前記用紙属性情報の設定もしくは確認を促すための表示を行う、
ことを特徴とする画像形成装置。
【請求項６】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙サイズを記録し、電源ＯＮまたは非応答状態からの復帰時に検知した前記トレイの用紙サイズと比較し、当該トレイにおいて取得された前記トレイの用紙サイズが、記録された前記用紙サイズと異なる場合に、前記用紙属性管理手段に対して、該当トレイの前記用紙属性情報の設定もしくは確認を促すための表示を行う、
ことを特徴とする画像形成装置。
【請求項７】
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙サイズを記録し、電源ＯＮまたは非応答状態からの復帰時に、前記トレイの用紙積載板が下降していて、かつ用紙無しが検知されなかった場合に検知した前記トレイの用紙サイズと比較し、当該トレイにおいて取得された前記トレイの用紙サイズが、記録された前記用紙サイズと異なる場合に、前記用紙属性管理手段に対して、該当トレイの前記用紙属性情報の設定もしくは確認を促すための表示を行う、
ことを特徴とする画像形成装置。
【請求項８】
コンピュータに、
印刷ジョブを受信する受信機能と、
用紙に画像を記録する画像形成機能と、
トレイに収容された用紙の用紙属性情報を管理する用紙属性管理機能と、
用紙属性管理手段により管理される前記用紙属性情報に基づき、前記印刷ジョブの印刷に係るトレイと前記トレイの情報を検知する検知機能と、
電源ＯＦＦもしくは非応答状態で前記トレイの開閉が行われた場合に、電源ＯＮまたは非応答状態からの復帰時に、前記用紙属性管理手段に対して、該当トレイの前記用紙属性情報の設定もしくは確認を促すための表示を行う機能と、
を実現するためのプログラム。
【発明の詳細な説明】
【技術分野】
【０００１】
本発明は、画像形成装置及びプログラムに関する。
【背景技術】
【０００２】
複写機やプリンタ等の画像形成装置では、一般のコピー向け用紙だけでなく、様々な用紙が用いられる。特に、出版や広告等といった専門業者向けの高級機種では、上質紙や中質紙、コート紙、アート紙等といった多種多様な用紙の使用を前提としている。
そのため、予め画像形成装置に用紙の種類に応じた搬送条件を記憶させておき、使用する用紙の種類に対応した搬送条件をその中から自動的に選択して設定している。
【０００３】
このような画像形成装置として、記録媒体を格納する記録媒体格納部の設定状態に変更があった場合に、ユーザに設定状態の変更への対応を促すための所定の表示を行なうことが知られている（特許文献１）。
また、記録媒体に適した画像形成パラメータセットを複数記録しておき、その中の一つのパラメータセットを指定して検索し、検索されたパラメータセットを表示することも知られている（特許文献２）。
さらに、記録媒体情報と画像形成情報とを予め関連づけて複数記録しておき、記録媒体に適した画像形成パラメータを自動的に設定することも知られている（特許文献３）。
【先行技術文献】
【特許文献】
【０００４】
【特許文献１】特開２００８−０１７１０８号公報
【特許文献２】特開２００６−１７４２６６号公報
【特許文献３】特開２００９−０２０２７１号公報
【発明の概要】
【発明が解決しようとする課題】
【０００５】
本発明は、使用者の操作の手間を削減し、用紙属性設定と格納用紙の一致性を高めることができる画像形成装置を提供することを目的とする。
【課題を解決するための手段】
【０００６】
前記課題を解決するために、請求項１記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態で前記トレイの開閉が行われた場合に、電源ＯＮまたは非応答状態からの復帰時に、前記用紙属性管理手段に対して、該当トレイの前記用紙属性情報の設定もしくは確認を促すための表示を行う、
ことを特徴とする。
【０００７】
前記課題を解決するために、請求項２記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＮまたは非応答状態からの復帰時に、前記トレイの用紙積載板が下降していた場合、前記用紙属性管理手段に対して、該当トレイの前記用紙属性情報の設定もしくは確認を促すための表示を行う、
ことを特徴とする。
【０００８】
請求項３記載の画像形成装置は、請求項２記載の画像形成装置において、
前記トレイの用紙積載板が下降していたトレイの用紙無しが検知されなかった場合、前記用紙属性管理手段に対して、該当トレイの前記用紙属性情報の設定もしくは確認を促すための表示を行う、
ことを特徴とする。
【０００９】
前記課題を解決するために、請求項４記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙残量を記録し、電源ＯＮまたは非応答状態からの復帰時に検知した前記トレイの用紙残量と比較し、当該トレイにおいて取得された前記トレイの用紙残量が、記録された前記用紙残量と異なる場合に、前記用紙属性管理手段に対して、該当トレイの前記用紙属性情報の設定もしくは確認を促すための表示を行う、
ことを特徴とする。
【００１０】
前記課題を解決するために、請求項５記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙残量を記録し、電源ＯＮまたは非応答状態からの復帰時に、前記トレイの用紙積載板が下降していて、かつ用紙無しが検知されなかった場合に検知した前記トレイの用紙残量と比較し、当該トレイにおいて取得された前記トレイの用紙残量が、記録された前記用紙残量と異なる場合に、前記用紙属性管理手段に対して、該当トレイの前記用紙属性情報の設定もしくは確認を促すための表示を行う、
ことを特徴とする。
【００１１】
前記課題を解決するために、請求項６記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙サイズを記録し、電源ＯＮまたは非応答状態からの復帰時に検知した前記トレイの用紙サイズと比較し、当該トレイにおいて取得された前記トレイの用紙サイズが、記録された前記用紙サイズと異なる場合に、前記用紙属性管理手段に対して、該当トレイの前記用紙属性情報の設定もしくは確認を促すための表示を行う、
ことを特徴とする。
【００１２】
前記課題を解決するために、請求項７記載の画像形成装置は、
印刷ジョブを受信する受信手段と、
印刷される用紙を収容する複数のトレイと、
前記用紙に画像を記録する画像形成手段と、
前記トレイに収容された用紙の用紙属性情報を管理する用紙属性管理手段と、
前記用紙属性管理手段により管理される前記用紙属性情報に基づき、前記印刷ジョブの印刷に係るトレイと前記トレイの情報を検知する検知手段と、を備え、
電源ＯＦＦもしくは非応答状態に移行する前に前記トレイの用紙サイズを記録し、電源ＯＮまたは非応答状態からの復帰時に、前記トレイの用紙積載板が下降していて、かつ用紙無しが検知されなかった場合に検知した前記トレイの用紙サイズと比較し、当該トレイにおいて取得された前記トレイの用紙サイズが、記録された前記用紙サイズと異なる場合に、前記用紙属性管理手段に対して、該当トレイの前記用紙属性情報の設定もしくは確認を促すための表示を行う、
ことを特徴とする。
【００１３】
前記課題を解決するために、請求項８記載のプログラムは、
コンピュータに、
印刷ジョブを受信する受信機能と、
用紙に画像を記録する画像形成機能と、
トレイに収容された用紙の用紙属性情報を管理する用紙属性管理機能と、
用紙属性管理手段により管理される前記用紙属性情報に基づき、前記印刷ジョブの印刷に係るトレイと前記トレイの情報を検知する検知機能と、
電源ＯＦＦもしくは非応答状態で前記トレイの開閉が行われた場合に、電源ＯＮまたは非応答状態からの復帰時に、前記用紙属性管理手段に対して、該当トレイの前記用紙属性情報の設定もしくは確認を促すための表示を行う機能と、
を実現する
ことを特徴とする。
【発明の効果】
【００１４】
本発明によれば、使用者の操作の手間を削減し、用紙属性設定と格納用紙の一致性を高めることができる。
【図面の簡単な説明】
【００１５】
【図１】画像形成装置１の概略構成の一例を示す断面模式図である。
【図２】画像形成装置１の機能構成の一例を示すブロック図である。
【図３】画像形成装置１の操作情報部の機能構成の一例を示すブロック図である。
【図４】画像形成装置１が電源ＯＮまたはスリープ状態を解除された場合に行う動作の一例を示したフローチャートである。
【図５】トレイで用紙交換が行われた旨を表示するポップアップ画面の一例を示した図である。
【図６】画像形成装置１Ａが電源ＯＮまたはスリープ状態を解除された場合に行う動作の手順の一例を示したフローチャートである。
【図７】画像形成装置１Ｂが電源ＯＮまたはスリープ状態を解除された場合に行う動作の手順の一例を示したフローチャートである。
【図８】画像形成装置１Ｃが電源ＯＮまたはスリープ状態を解除された場合に行う動作の手順の一例を示したフローチャートである。
【図９】画像形成装置１Ｄが電源ＯＮまたはスリープ状態を解除された場合に行う動作の手順の一例を示したフローチャートである。
【図１０】画像形成装置１Ｅが電源ＯＮまたはスリープ状態を解除された場合に行う動作の手順の一例を示したフローチャートである。
【発明を実施するための形態】
【００１６】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１７】
「第１実施形態」
（１）画像形成装置の全体構成及び動作
（１．１）画像形成装置の全体構成
図１は本実施形態に係る画像形成装置１の概略構成の一例を示す断面模式図である。
画像形成装置１は、画像形成部１０と、画像形成部１０の一端に装着された複数の用紙送り装置２０、３０、４０と、画像形成部１０の他の一端に設けられ、印刷された用紙が排紙される排紙部５０と、操作情報部６０と、を備えて構成されている。
【００１８】
画像形成部１０は、半導体レーザ、光学系、感光ドラム等から成り、例えば第１の用紙送り装置２０から給紙された用紙の一方の面にトナー画像を形成する印刷機構と、印刷機構から出力された用紙上のトナー画像を定着させる定着機構と、を備える。
【００１９】
第１の用紙送り装置２０、第２の用紙送り装置３０、及び第３の用紙送り装置４０は、いずれも、画像形成部１０に対する用紙供給を行う。すなわち、種類（例えば、材質や厚さ、用紙サイズ、紙目）の異なる用紙を収容する複数のトレイを備えており、これら複数のトレイのいずれか一つから繰り出した用紙を画像形成部１０に対して供給するように構成されている。
【００２０】
排紙部５０は、画像形成部１０にて画像出力が行われた用紙の排出を行う。そのために、排紙部５０は、画像出力後の用紙が排出される排紙トレイを備えている。なお、排紙部５０は、画像形成部１０から出力される用紙束に対して、裁断やステープル（針綴じ）等の後処理を行う機能を有したものであってもよい。
【００２１】
画像形成部１０、第１の用紙送り装置２０、第２の用紙送り装置３０、第３の用紙送り装置４０及び排紙部５０のそれぞれには、用紙搬送部７０が配設されている。
用紙搬送部７０は、第１の用紙送り装置２０、第２の用紙送り装置３０、第３の用紙送り装置４０から画像形成部１０への間、画像形成部１０内、並びに、画像形成部１０から排紙部５０への間において、用紙の搬送を行う。そのために、用紙搬送部７０は、駆動源によって回動される複数のローラ、経路切替部（不図示）、用紙の搬送を案内するガイド、用紙の通過や到達等を検知するセンサ等（不図示）を備えて構成されている。
【００２２】
画像形成部１０には、用紙属性管理手段の一例としての操作情報部６０が設けられている。
操作情報部６０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２３】
（１．２）画像形成装置の動作
このような構成の画像形成装置１では、画像形成のタイミングに合わせて第１の用紙送り装置２０、第２の用紙送り装置３０、第３の用紙送り装置４０のうち、印刷ジョブで印刷の１枚毎に指定されたトレイから繰り出された用紙が画像形成部１０へ送り込まれる。
画像形成部１０へ送り込まれた用紙は、画像形成部１０における像担持体（例えば中間転写体）と転写ローラとの間（転写部ＴＲ；第１図参照）を通過し、トナー像の転写が行われることになる。
トナー像が転写された用紙は、さらに用紙搬送部７０によって搬送され、その後段に配置された定着器を通過する。定着器に搬送された用紙は、一対の定着ローラにより圧着と加熱の作用でトナー像が定着される。
【００２４】
定着の終了した用紙は、用紙搬送部７０によって搬送され、排紙部５０に送り込まれる。
尚、用紙の両面に画像出力を行う場合には、用紙搬送部７０により当該用紙の表裏が反転され、再び画像形成部１０における転写部ＴＲへ送り込まれる。そして、トナー像の転写および転写像の定着が行われた後に、排紙部５０に送り込まれることになる。排紙部５０へ送り込まれた用紙は、必要に応じて裁断やステープル（針綴じ）等の後処理を経た後に、排紙トレイ上へ排出される。
【００２５】
（１．３）画像形成装置のブロック構成
図２は本実施形態に係る画像形成装置１の機能構成の一例を示すブロック図である。
図例のように、画像形成装置１においては、画像形成部１０、第１の用紙送り装置２０、第２の用紙送り装置３０、第３の用紙送り装置４０の間が通信ケーブル８０で接続されており、それぞれの間で情報授受を行い得るように構成されている。
尚、排紙部５０が裁断やステープル（針綴じ）等の後処理を行う機能を有している場合には、排紙部５０についても同様に通信ケーブル８０で接続することができる。
【００２６】
画像形成部１０は、ＣＰＵ（Central  Processing  Unit）、ＲＡＭ（Random  Access  Memory）、ＲＯＭ（Read  Only  Memory）、ＨＤＤ（Hard  Disc  Drive）等の組み合わせからなるシステム制御部１１を備え、画像形成装置１全体の動作制御を行う。
【００２７】
システム制御部１１が行う動作制御としては、第１の用紙送り装置２０、第２の用紙送り装置３０、第３の用紙送り装置４０との間の情報授受についての制御の他に、以下に述べるようなものが挙げられる。
システム制御部１１は、画像形成部１０が備える画像入力部１２、画像処理部１３、画像記憶部１４、画像出力部１５、後処理装置制御部１６、用紙搬送部７１等に対して、動作制御指示を与える。
又、システム制御部１１は、画像形成部１０が備える電源制御部１７に対して、動作制御指示を与える。すなわち、電源制御部１７が画像形成部１０、第１の用紙送り装置２０、第２の用紙送り装置３０、第３の用紙送り装置４０への給電を行うか否かを決定し、その決定結果を当該電源制御部１７に対して指示する。
更に、システム制御部１１は、画像形成部１０が備える操作情報部６０で入力された処理要求、または、画像形成部１０と通信ネットワーク８１を介して接続するホストコンピュータ８２で入力された処理要求を認識して、その処理要求を受け付けるようになっている。
【００２８】
第１の用紙送り装置２０、第２の用紙送り装置３０、及び第３の用紙送り装置４０は、ＣＰＵ、ＲＡＭ、ＲＯＭ等の組み合わせからなる制御部２１、３１、４１を備え、その制御部２１、３１、４１が、画像形成部１０との間の情報授受を行う。
又、第１の用紙送り装置２０、第２の用紙送り装置３０、及び第３の用紙送り装置４０に設置されている用紙搬送部７２、７３、７４や、それぞれの給紙トレイの動作を制御するトレイ制御部２２、３２、４２等に対して、動作制御指示を与えるようになっている。
【００２９】
図３は本実施形態に係る画像形成装置１を構成する操作情報部６０の機能構成の一例を示すブロック図である。
図例のように、操作情報部６０は、所定の処理プログラムに従って、画像形成部１０において実行される画像形成処理に対する各パラメータ値の設定処理を行う制御部６１、使用者からの操作入力を受け付ける操作入力部６２、処理プログラムや用紙属性設定値（後段参照）等が記憶された記憶部６３、使用者に対して各種情報を表示する表示部６４、画像形成部１０との間の情報（各種信号や各種データ）の入出力を管理する入出力部６５を含んで構成されている。
【００３０】
（２）画像形成装置の給紙制御動作・作用
本実施形態で説明する画像形成装置１においては、画像が形成される過程において、トレイからの給紙動作に始まって用紙を所定の搬送路に沿って搬送する用紙搬送、用紙へのトナー像の転写処理、転写されたトナー像の用紙への定着処理等といった各種の動作・処理が実行される。
そして、これらの各種の動作・処理においては、それぞれに用紙の種類（紙種）毎に最適な設定条件が存在する。そのために、極めて高レベルの画像品質を実現しようとすると、使用される用紙の材質や厚さ、サイズ、紙目等といった用紙の種類（以下、用紙属性と記す）に合わせて、用紙搬送系および画像形成プロセス部にて設定される条件をそれぞれ調整する必要がある。
【００３１】
（２．１）用紙属性設定
そのために、画像形成装置１においては、各トレイで全ての用紙の種類に合わせて用紙属性設定をすることは難しく、操作情報部６０を介して使用者が用紙属性設定を行うように構成されている。
画像形成装置１の操作情報部６０には、予め頻繁に使用されると想定される代表的な複数種の用紙に関して、転写、定着、用紙搬送等の各画像形成工程にて設定すべき最適な各パラメータ値を用紙属性設定として記憶している。
そこで、使用者はトレイへの用紙格納操作時に、予め記憶されていた用紙属性設定を操作情報部６０から設定する。
【００３２】
一方、トレイへの用紙格納操作と操作情報部６０からの用紙属性設定操作が連動していないために、用紙属性設定の操作が煩雑になる。
また、トレイへの用紙格納操作と操作情報部６０からの用紙属性設定操作のいずれかの操作を失念した場合には、用紙属性設定とトレイへの格納用紙とが一致せず、最適な画像形成がなされないといった問題がある。
【００３３】
そこで、トレイの開閉操作を行うと自動的に用紙属性設定の変更操作を促す旨を操作情報部６０に警告表示することができる。
また、先に操作情報部６０から用紙属性設定の変更操作を行った場合、トレイの開閉操作を行うまでトレイを使用不可状態とし、用紙属性設定とトレイへの格納用紙を極力一致させる方法も考えられる。
【００３４】
しかし、使用者が画像形成装置１の電源ＯＦＦまたは非応答状態（以下、スリープ状態と記す）でトレイの用紙を交換した場合は、画像形成装置１は使用者のトレイ操作を検知できないために、後の電源ＯＮまたはスリープ状態からの復帰時に、用紙属性設定とトレイへの格納用紙との間で不整合が発生し、使用する用紙に対する最適な画像形成を行うことができない場合が生じることがある。
そこで、電源ＯＦＦもしくはスリープ状態から復帰したときに、操作情報部６０に用紙属性設定の確認を促す警告表示する方法も考えられる。
【００３５】
しかし、電源ＯＦＦまたはスリープ状態から復帰したときに、必ずトレイの数だけ操作情報部６０に用紙属性設定の確認を促す警告表示がなされると、使用者にとっては却ってその確認が煩雑になる。
全てのトレイに対して、一回のみ操作情報部６０に用紙属性設定の確認を促す警告表示を一度にした場合は、用紙属性設定を変更するトレイを使用者が判断する必要が発生し、煩雑、かつ混乱する事態が発生することもある。
【００３６】
そこで、本実施形態の画像形成装置１では、電源ＯＦＦもしくはスリープ状態でトレイの開閉が行われた場合に、電源ＯＦＦまたはスリープ状態から復帰したときに、使用者が用紙の変更操作をしたトレイを判断し、そのトレイに対して操作情報部６０への用紙属性設定の確認を促す警告表示を行う。
以下、本実施形態に係る画像形成装置１における給紙動作制御をブロック図及びフローチャートを参照しながら詳細に説明する。
【００３７】
（２．２）トレイの特定方法
画像形成装置１が備える用紙送り装置２０、３０、４０は、多量の用紙に画像形成を行うために、各々のトレイは多量の用紙を収容して、画像形成部１０に給紙を行う。
そのために、各々のトレイ１、２、３、４、５、６は、用紙を載置するボトムプレートが上下に昇降する機構（以下、リフターと記す：図１において不図示）を備え、使用者が用紙を補給する場合に、トレイの開操作を行うと、リフターが下降し、用紙の補給に備える。使用者が下降したボトムプレート上に用紙を載置して、トレイの閉操作を行うと、ボトムプレートが上昇し、給紙可能状態となる。
【００３８】
以下、上述したリフターを備えた画像形成装置１の作用について説明する。
図４は、本実施形態に係る画像形成装置１が電源ＯＮまたはスリープ状態を解除された場合に行う動作の一例を示したフローチャートである。
【００３９】
画像形成装置１は、電源がＯＦＦからＯＮへ切り替えられるか、システム制御部１１からの指示でスリープ状態が解除されると（Ｓ１０１）、各々のトレイ１、２、３、４、５、６の状態に関する情報を取得する（Ｓ１０２）。具体的には、用紙送り装置２０、３０、４０のそれぞれの制御部２１、３１、４１から通信ケーブル８０を介して、各々のトレイ１、２、３、４、５、６のいずれかのトレイのリフターの下降検知情報を取得する。
【００４０】
次に、取得されたトレイの状態に関する情報を参照し、トレイのリフターが下降状態にあるか否か判断する（Ｓ１０３）。
その結果、当該トレイにおいて、トレイのリフターが下降状態である旨が肯定された場合（Ｓ１０３；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ１０４）。
当該トレイにおいて、トレイのリフターが下降状態である旨が否定された場合（Ｓ１０３；Ｎｏ）、次のトレイが存在するか否か判断する（Ｓ１０６）。
【００４１】
次に、システム制御部１１は、当該トレイのリフターを上昇させる（Ｓ１０５）。
その後、システム制御部１１は、次のトレイが存在か否か判断する（Ｓ１０６）。次のトレイが無い場合（Ｓ１０６；Ｎｏ）は、用紙属性設定の処理を終了する。
【００４２】
次のトレイがあった場合（Ｓ１０６；Ｙｅｓ）、次のトレイの状態に関する情報を取得し（Ｓ１０２）、以下、上述したＳ１０３〜Ｓ１０６の処理を継続する。
【００４３】
（２．３）ポップアップ画面の表示
図５は、トレイ１、２、３、４、５、６で用紙交換が行われた旨を表示するポップアップ画面の一例を示した図である。
図５に示したように、ポップアップ画面には、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される。
【００４４】
使用者は、ポップアップ画面から所望の処理を選択することができる。その場合には、上記した各パラメータ値の設定処理や、記憶部６３に記憶されたプリセット紙種についての各パラメータ値の組み合わせを選択する処理、さらには交換後の用紙に対応した各パラメータ値の組み合わせを自動的に設定する処理を行なうことができる。
一方、何らの処理も行なわない場合には、ポップアップ画面を閉じることができる。
【００４５】
このような処理により、電源ＯＦＦもしくはスリープ状態でトレイの開閉が行われた場合に、電源ＯＦＦまたはスリープ状態から復帰したときに、使用者が用紙の変更操作をしたトレイを判断し、そのトレイに対して操作情報部６０への用紙属性設定の確認を促す警告表示を行うことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００４６】
「第２実施形態」
以下、第２実施形態の画像形成装置１Ａについて図６を用いて説明する。
図６は、本実施形態に係る画像形成装置１Ａが電源ＯＮまたはスリープ状態を解除された場合に行う処理の手順の一例を示したフローチャートである。
尚、本実施形態の画像形成装置１Ａの基本構成は第１実施形態の画像形成装置１と同様であり、第１実施形態の画像形成装置１と共通の構成要素には同一の符号を付し、詳細な説明は省略する。
【００４７】
画像形成装置１Ａは、操作情報部６０の電源がＯＦＦからＯＮへ切り替えられるか、システム制御部１１からの指示でスリープ状態が解除されると（Ｓ２０１）、各々のトレイ１、２、３、４、５、６の状態に関する情報を取得する（Ｓ２０２）。具体的には、用紙送り装置２０、３０、４０のそれぞれの制御部２１、３１、４１から通信ケーブル８０を介して、各々のトレイ１、２、３、４、５、６のいずれかのトレイのリフターの下降検知情報と、トレイの用紙有り検知情報を取得する。尚、用紙有りの検知は、トレイに備えられた用紙有無センサの情報によって取得することができる。
【００４８】
次に、取得されたトレイの状態に関する情報を参照し、トレイのリフターが下降状態にあり、かつ、トレイに用紙が有るか否か判断する（Ｓ２０３）。
その結果、当該トレイにおいて、トレイのリフターが下降状態であり、トレイに用紙が有る旨が肯定された場合（Ｓ２０３；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ２０４）。
当該トレイにおいて、トレイのリフターが下降状態である旨が否定された場合（Ｓ２０３；Ｎｏ）、次のトレイが存在するか否か判断する（Ｓ２０６）。
【００４９】
次に、システム制御部１１は、当該トレイのリフターを上昇させる（Ｓ２０５）。
その後、システム制御部１１は、次のトレイが存在か否か判断する（Ｓ２０６）。次のトレイが無い場合（Ｓ２０６；Ｎｏ）は、用紙属性設定の処理を終了する。
【００５０】
次のトレイがあった場合（Ｓ２０６；Ｙｅｓ）、次のトレイの状態に関する情報を取得し（Ｓ２０２）、以下、上述したＳ２０３〜Ｓ２０６の処理を継続する。
【００５１】
このような処理により、第１実施形態と同様に、操作情報部６０の表示部６４にはポップアップ画面に、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される（図５参照）。
【００５２】
そして、使用者は、ポップアップ画面から、記憶部６３に記憶されたプリセット紙種についての各パラメータ値の組み合わせを選択する処理を行なうことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００５３】
「第３実施形態」
以下、第３実施形態の画像形成装置１Ｂについて図７を用いて説明する。
図７は、本実施形態に係る画像形成装置１Ｂが電源ＯＮまたはスリープ状態を解除された場合に行う処理の手順の一例を示したフローチャートである。
尚、本実施形態の画像形成装置１Ｂの基本構成は第１実施形態の画像形成装置１と同様であるが、トレイのリフターが、ボトムプレート上に載置された用紙の残量を検知する手段を備えている。従って、第１実施形態の画像形成装置１と共通の構成要素には同一の符号を付し、詳細な説明は省略する。
【００５４】
画像形成装置１Ｂは、電源ＯＦＦもしくはスリープ状態に移行する前に、各々のトレイ１、２、３、４、５、６のボトムプレートに載置されている用紙の残量を検知する。具体的には、用紙の残量は、例えば、用紙が積載されたトレイを上昇駆動開始してから用紙送り出し位置に到達するまでのリフトアップ時間をサイズ・紙質・環境情報等の用紙情報毎に予め記憶しておき、実際のリフトアップ時間を用いてトレイに積載してある用紙の残量を算出することによって検知することができる。
そこで、この計測により得られたリフトアップ時間に基づいて、トレイ内のボトムプレートに載置されている用紙の残量を検知し、この用紙残量をトレイ制御部２２、３２、４２の記憶手段（不図示）に記録する（Ｓ１１）。
【００５５】
次に、システム制御部１１は、次のトレイが存在するか否か判断する（Ｓ１２）。次のトレイが無い場合（Ｓ１２；Ｎｏ）は、用紙残量検知の処理を終了する。
【００５６】
次のトレイがあった場合（Ｓ１２；Ｙｅｓ）、次のトレイの用紙残量を検知し、この用紙残量をトレイ制御部２２、３２、４２の記憶手段（不図示）に記憶する（Ｓ１１）。
以下、上述したＳ１１〜Ｓ１２の処理を全てのトレイについて継続する。
【００５７】
画像形成装置１Ｂは、操作情報部６０の電源がＯＦＦからＯＮへ切り替えられるか、システム制御部１１からの指示でスリープ状態が解除されると（Ｓ３０１）、各々のトレイ１、２、３、４、５、６の状態に関する情報を取得する（Ｓ３０２）。具体的には、用紙送り装置２０、３０、４０のそれぞれの制御部２１、３１、４１から通信ケーブル８０を介して、各々のトレイ１、２、３、４、５、６の用紙残量の情報を取得する。
【００５８】
次に、取得されたトレイの用紙残量と、Ｓ１１で記録された用紙残量とを比較し、取得されたトレイの用紙残量が、電源ＯＦＦもしくは」スリープ状態に移行する前に、記録された用紙残量と異なるか否か判断する（Ｓ３０３）。
その結果、当該トレイにおいて、取得されたトレイの用紙残量が、記録された用紙残量と異なる旨が肯定された場合（Ｓ３０３；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ３０４）。
当該トレイにおいて、取得されたトレイの用紙残量が、記録された用紙残量と異なる旨が否定された場合（Ｓ３０３；Ｎｏ）、次のトレイが存在するか否か判断する（Ｓ３０５）。
【００５９】
次に、システム制御部１１は、次のトレイが存在するか否か判断する（Ｓ３０５）。次のトレイが無い場合（Ｓ３０５；Ｎｏ）は、用紙属性設定の処理を終了する。
【００６０】
次のトレイがあった場合（Ｓ３０５；Ｙｅｓ）、次のトレイの用紙残量の情報を取得し（Ｓ３０２）、以下、上述したＳ３０２〜Ｓ３０５の処理を継続する。
【００６１】
このような処理により、第１実施形態と同様に、操作情報部６０の表示部６４にはポップアップ画面に、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される（図５参照）。
【００６２】
そして、使用者は、ポップアップ画面から、記憶部６３に記憶されたプリセット紙種についての各パラメータ値の組み合わせを選択する処理を行なうことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００６３】
「第４実施形態」
以下、第４実施形態の画像形成装置１Ｃについて図８を用いて説明する。
図８は、本実施形態に係る画像形成装置１Ｃが電源ＯＮまたはスリープ状態を解除された場合に行う処理の手順の一例を示したフローチャートである。
尚、本実施形態の画像形成装置１Ｃの基本構成は第１実施形態の画像形成装置１と同様であるが、トレイのリフターが、ボトムプレート上に載置された用紙の残量を検知する手段を備えている。従って、第１実施形態の画像形成装置１と共通の構成要素には同一の符号を付し、詳細な説明は省略する。
【００６４】
画像形成装置１Ｃは、電源ＯＦＦもしくはスリープ状態に移行する前に、各々のトレイ１、２、３、４、５、６のボトムプレートに載置されている用紙の残量を検知し、この用紙残量をトレイ制御部２２、３２、４２の記憶手段（不図示）に記録する（Ｓ１１）。
【００６５】
次に、システム制御部１１は、次のトレイが存在するか否か判断する（Ｓ１２）。次のトレイが無い場合（Ｓ１２；Ｎｏ）は、用紙残量検知の処理を終了する。
【００６６】
次のトレイがあった場合（Ｓ１２；Ｙｅｓ）、次のトレイの用紙残量を検知し、この用紙残量をトレイ制御部２２、３２、４２の記憶手段（不図示）に記憶する（Ｓ１１）。
以下、上述したＳ１１〜Ｓ１２の処理を全てのトレイについて継続する。
【００６７】
画像形成装置１Ｃは、操作情報部６０の電源がＯＦＦからＯＮへ切り替えられるか、システム制御部１１からの指示でスリープ状態が解除されると（Ｓ４０１）、各々のトレイ１、２、３、４、５、６の状態に関する情報を取得する（Ｓ４０２）。具体的には、用紙送り装置２０、３０、４０のそれぞれの制御部２１、３１、４１から通信ケーブル８０を介して、各々のトレイ１、２、３、４、５、６のいずれかのトレイのリフターの下降検知情報と、トレイの用紙有り検知情報を取得する。
【００６８】
次に、取得されたトレイの状態に関する情報を参照し、トレイのリフターが下降状態にあり、かつ、トレイに用紙が有るか否か判断する（Ｓ４０３）。
【００６９】
次に、システム制御部１１は、当該トレイのリフターを上昇させ（Ｓ４０４）、トレイ内の用紙の残量を取得する（Ｓ４０５）。具体的には、ボトムプレートを給紙位置まで上昇させたときのリフトアップ時間に基づいて、トレイ内のボトムプレートに載置されている用紙の残量を検知し、この用紙残量をトレイ制御部２２、３２、４２の記憶手段（不図示）に記録する（Ｓ４０５）。
【００７０】
次に、取得されたトレイの用紙残量と、Ｓ１１で記録された用紙残量とを比較し、取得されたトレイの用紙残量が、電源ＯＦＦもしくはスリープ状態に移行する前に、記録された用紙残量と異なるか否か判断する（Ｓ４０６）。
その結果、当該トレイにおいて、取得されたトレイの用紙残量が、記録された用紙残量と異なる旨が肯定された場合（Ｓ４０６；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ４０７）。
尚、当該トレイにおいて、取得されたトレイの用紙残量が、記録された用紙残量と異なる旨が否定された場合（Ｓ４０６；Ｎｏ）、次のトレイが存在するか否か判断する（Ｓ４０８）。
【００７１】
次に、システム制御部１１は、次のトレイが存在か否か判断する（Ｓ４０８）。次のトレイが無い場合（Ｓ４０８；Ｎｏ）は、用紙属性設定の処理を終了する。
【００７２】
次のトレイがあった場合（Ｓ４０８；Ｙｅｓ）、次のトレイの用紙残量の情報を取得し（Ｓ４０２）、以下、上述したＳ４０２〜Ｓ４０８の処理を継続する。
【００７３】
このような処理により、第１実施形態と同様に、操作情報部６０の表示部６４にはポップアップ画面に、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される（図５参照）。
【００７４】
そして、使用者は、ポップアップ画面から、記憶部６３に記憶されたプリセット紙種についての各パラメータ値の組み合わせを選択する処理を行なうことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００７５】
「第５実施形態」
以下、第５実施形態の画像形成装置１Ｄについて図９を用いて説明する。
図９は、本実施形態に係る画像形成装置１Ｄが電源ＯＮまたはスリープ状態を解除された場合に行う処理の手順の一例を示したフローチャートである。
尚、本実施形態の画像形成装置１Ｄの基本構成は第１実施形態の画像形成装置１と同様であるが、ボトムプレート上に載置された用紙の用紙サイズを検知する手段を備えている。従って、第１実施形態の画像形成装置１と共通の構成要素には同一の符号を付し、詳細な説明は省略する。
【００７６】
画像形成装置１Ｄは、電源ＯＦＦもしくはスリープ状態に移行する前に、各々のトレイ１、２、３、４、５、６のボトムプレートに載置されている用紙の用紙サイズを検知する。具体的には、例えば、給紙トレイの奥面に対向して給紙トレイの形成されるパターンの凸部を検出する複数のセンサやメカニカルスイッチなどの検知手段を設け、この検知手段によって凹凸パターンないしパターン上の凸部を検出して、給紙トレイに収容している用紙の用紙サイズを検知することができる。
そこで、給紙トレイ内のボトムプレートに載置されている用紙の用紙サイズを検知し、トレイ制御部２２、３２、４２の記憶手段（不図示）に記録する（Ｓ２１）。
【００７７】
次に、システム制御部１１は、次のトレイが存在するか否か判断する（Ｓ２２）。次のトレイが無い場合（Ｓ２２；Ｎｏ）は、用紙残量検知の処理を終了する。
【００７８】
次のトレイがあった場合（Ｓ２２；Ｙｅｓ）、次のトレイの用紙残量を検知し、この用紙残量をトレイ制御部２２、３２、４２の記憶手段（不図示）に記憶する（Ｓ２１）。
以下、上述したＳ２１〜Ｓ２２の処理を全てのトレイについて継続する。
【００７９】
画像形成装置１Ｄは、操作情報部６０の電源がＯＦＦからＯＮへ切り替えられるか、システム制御部１１からの指示でスリープ状態が解除されると（Ｓ５０１）、各々のトレイ１、２、３、４、５、６の状態に関する情報を取得する（Ｓ５０２）。具体的には、用紙送り装置２０、３０、４０のそれぞれの制御部２１、３１、４１から通信ケーブル８０を介して、各々のトレイ１、２、３、４、５、６の用紙サイズの情報を取得する。
【００８０】
次に、取得されたトレイの用紙サイズと、Ｓ２１で記録された用紙サイズとを比較し、取得されたトレイの用紙サイズが、電源ＯＦＦもしくはスリープ状態に移行する前に、記録された用紙サイズと異なるか否か判断する（Ｓ５０３）。
その結果、当該トレイにおいて、取得されたトレイの用紙サイズが、記録された用紙サイズと異なる旨が肯定された場合（Ｓ５０３；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ５０４）。
尚、当該トレイにおいて、取得されたトレイの用紙残量が、記録された用紙残量と異なる旨が否定された場合（Ｓ５０３；Ｎｏ）、次のトレイが存在するか否か判断する（Ｓ５０５）。
【００８１】
次に、システム制御部１１は、次のトレイが存在か否か判断する（Ｓ５０５）。次のトレイが無い場合（Ｓ５０５；Ｎｏ）は、用紙属性設定の処理を終了する。
【００８２】
次のトレイがあった場合（Ｓ５０５；Ｙｅｓ）、次のトレイの用紙サイズの情報を取得し（Ｓ５０２）、以下、上述したＳ５０２〜Ｓ５０５の処理を継続する。
【００８３】
このような処理により、第１実施形態と同様に、操作情報部６０の表示部６４にはポップアップ画面に、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される（図５参照）。
【００８４】
そして、使用者は、ポップアップ画面から、記憶部６３に記憶されたプリセット紙種についての各パラメータ値の組み合わせを選択する処理を行なうことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００８５】
「第６実施形態」
以下、第５実施形態の画像形成装置１Ｅについて図１０を用いて説明する。
図１０は、本実施形態に係る画像形成装置１Ｅが電源ＯＮまたはスリープ状態を解除された場合に行う処理の手順の一例を示したフローチャートである。
尚、本実施形態の画像形成装置１Ｅの基本構成は第１実施形態の画像形成装置１と同様であるが、ボトムプレート上に載置された用紙の用紙サイズを検知する手段を備えている。従って、第１実施形態の画像形成装置１と共通の構成要素には同一の符号を付し、詳細な説明は省略する。
【００８６】
画像形成装置１Ｅは、電源ＯＦＦもしくはスリープ状態に移行する前に、各々のトレイ１、２、３、４、５、６のボトムプレートに載置されている用紙の用紙サイズを検知し、トレイ制御部２２、３２、４２の記憶手段（不図示）に記録する（Ｓ２１）。
【００８７】
次に、システム制御部１１は、次のトレイが存在するか否か判断する（Ｓ２２）。次のトレイが無い場合（Ｓ２２；Ｎｏ）は、用紙残量検知の処理を終了する。
【００８８】
次のトレイがあった場合（Ｓ２２；Ｙｅｓ）、次のトレイの用紙残量を検知し、この用紙残量をトレイ制御部２２、３２、４２の記憶手段（不図示）に記憶する（Ｓ２１）。
以下、上述したＳ２１〜Ｓ２２の処理を全てのトレイについて継続する。
【００８９】
画像形成装置１Ｅは、操作情報部６０の電源がＯＦＦからＯＮへ切り替えられるか、システム制御部１１からの指示でスリープ状態が解除されると（Ｓ６０１）、各々のトレイ１、２、３、４、５、６の状態に関する情報を取得する（Ｓ６０２）。具体的には、用紙送り装置２０、３０、４０のそれぞれの制御部２１、３１、４１から通信ケーブル８０を介して、各々のトレイ１、２、３、４、５、６のいずれかのトレイのリフターの下降検知情報と、トレイの用紙有り検知情報を取得する。
【００９０】
次に、取得されたトレイの状態に関する情報を参照し、トレイのリフターが下降状態にあり、かつ、トレイに用紙が有るか否か判断する（Ｓ６０３）。
【００９１】
次に、システム制御部１１は、当該トレイのリフターを上昇させ（Ｓ４０４）、トレイ内の用紙の用紙サイズを検知する（Ｓ６０５）。
【００９２】
次に、取得されたトレイの用紙サイズと、Ｓ２１で記録された用紙サイズとを比較し、取得されたトレイの用紙サイズが、電源ＯＦＦもしくはスリープ状態に移行する前に、記録された用紙サイズと異なるか否か判断する（Ｓ６０６）。
その結果、当該トレイにおいて、取得されたトレイの用紙サイズが、記録された用紙サイズと異なる旨が肯定された場合（Ｓ６０６；Ｙｅｓ）、トレイにおいて用紙交換が行われたと推定し、操作情報部６０は、制御部６１が表示部６４にて当該トレイの用紙属性設定を促す表示を、例えばポップアップ画面により行う（Ｓ６０７）。
尚、当該トレイにおいて、取得されたトレイの用紙残量が、記録された用紙残量と異なる旨が否定された場合（Ｓ６０７；Ｎｏ）、次のトレイが存在するか否か判断する（Ｓ６０８）。
【００９３】
次に、システム制御部１１は、次のトレイが存在か否か判断する（Ｓ６０８）。次のトレイが無い場合（Ｓ６０８；Ｎｏ）は、用紙属性設定の処理を終了する。
【００９４】
次のトレイがあった場合（Ｓ６０８；Ｙｅｓ）、次のトレイの用紙サイズの情報を取得し（Ｓ６０２）、以下、上述したＳ６０２〜Ｓ６０８の処理を継続する。
【００９５】
このような処理により、第１実施形態と同様に、操作情報部６０の表示部６４にはポップアップ画面に、トレイ１、２、３、４、５、６の用紙交換が行われた旨を警告する、「用紙トレイで用紙交換がありました！」とする表示６４１と、さらには、上記した用紙属性設定画面を起動するための設定ボタン６４２や、プリセット設定値記憶部６３１に記憶された各パラメータ値の組み合わせを設定するための画面を起動するための設定ボタン６４３、変更後の用紙に対応した各パラメータ値の組み合わせを自動的に設定するための設定ボタン６４４が表示される（図５参照）。
【００９６】
そして、使用者は、ポップアップ画面から、記憶部６３に記憶されたプリセット紙種についての各パラメータ値の組み合わせを選択する処理を行なうことができる。
その結果、使用者の操作の手間を削減し、操作情報部６０にて設定された各パラメータの設定値と、トレイ１、２、３、４、５、６に収容されている用紙との間で不整合が生じることを抑制することができる。それにより、使用する用紙に対する最適な画像処理を行なうことができないという事態の発生を抑えることができる。
【００９７】
以上、本発明に係る実施形態を詳述したが、本発明は、上記実施形態に限定されるものではなく、特許請求の範囲に記載された本発明の要旨の範囲内で、種々の変更を行うことが可能である。
【００９８】
例えば、本実施形態では画像形成装置１、１Ａ、１Ｂ、１Ｃ、１Ｄ、１Ｅはプリンタとして説明しているが、原稿の読み取り機能を備えた複写機であっても良い。
【符号の説明】
【００９９】
１、１Ａ、１Ｂ、１Ｃ、１Ｄ、１Ｅ・・・画像形成装置
１０・・・画像形成部
１１・・・システム制御部
１２・・・画像入力部
１３・・・画像処理部
１４・・・画像記憶部
１５・・・画像出力部
１６・・・後処理装置制御部
１７・・・電源制御部
７１・・・用紙搬送部（画像形成部）
２０、３０、４０・・・用紙送り装置
２１、３１、４１・・・制御部（用紙送り装置）
２２、３２、４２・・・トレイ制御部（用紙送り装置）
７２、７３、７４・・・用紙搬送部（用紙送り装置）
５０・・・排紙部
６０・・・操作情報部
６１・・・制御部
６２・・・操作入力部
６３・・・記憶部
６４・・・表示部
６５・・・入出力部
８０・・・通信ケーブル
８１・・・通信ネットワーク
８２・・・ホストコンピュータ
【図１】
2014018974.tif 000003
【図２】
2014018974.tif 000004
【図３】
2014018974.tif 000005
【図４】
2014018974.tif 000006
【図５】
2014018974.tif 000007
【図６】
2014018974.tif 000008
【図７】
2014018974.tif 000009
【図８】
2014018974.tif 000010
【図９】
2014018974.tif 000011
【図１０】
2014018974.tif 000012